(57)【要約】【課題】バリ除去手段の寿命を長くすることのできる画像形成装置を提供する。【解決手段】バリ除去装置１０１を、シートのシート搬送方向と平行な端部を上方より押圧するバリ除去ローラ２１１と、バリ除去ローラ２１１をシートの上方の待機位置及びシートを押圧する位置に移動させる昇降手段１０１ａと、バリ除去ローラ２１１を幅方向に移動させる移動手段とにより構成し、バリ除去ローラ２１１を幅方向に移動させる際は、バリ除去ローラ２１１を下ガイド２０３から離間した状態で移動させる。【選択図】図３
2016150847.tif 000002
【特許請求の範囲】
【請求項１】
画像が形成されるシートを搬送する搬送手段と、
前記搬送手段によって搬送されているシートのシート搬送方向と平行な端部と接して前記端部のバリを除去するバリ除去手段と、
搬送されるシートの端部と当接する位置を変更するよう前記バリ除去手段を前記シート搬送方向と直交するシートの幅方向に移動させる移動手段と、を有することを特徴とする画像形成装置。
【請求項２】
前記バリ除去手段は、搬送されているシートのシート搬送方向と平行な端部を上方から接離可能に押圧してバリを除去することを特徴とする請求項１記載の画像形成装置。
【請求項３】
前記バリ除去手段をシートの上方の待機位置及びシートを押圧する位置に移動させる昇降手段と、
シートを押圧する位置に移動した前記バリ除去手段と共にシートを挟持する挟持部材と、
前記バリ除去手段の動作を制御する制御手段と、を備え、
前記制御手段は、前記バリ除去手段を移動させる際、前記バリ除去手段を前記挟持部材から離間した状態で移動させるよう前記昇降手段及び前記移動手段を制御することを特徴とする請求項１又は２記載の画像形成装置。
【請求項４】
前記バリ除去手段は、シートと当接する表面の粗い当接面を有することを特徴とする請求項１乃至３の何れか１項に記載の画像形成装置。
【請求項５】
前記バリ除去手段を、軸を介して幅方向に移動可能に保持し、前記昇降手段により上下方向に移動する保持手段と、
前記移動手段を駆動するための駆動手段と、備え、
前記移動手段は、前記バリ除去手段と同軸上に回転自在に設けられ、前記駆動手段により回転する回転部材と、前記バリ除去手段を付勢して前記回転部材に圧接させる付勢手段と、前記回転部材の回転力を前記バリ除去手段を移動させる力に変換する変換部と、を有することを特徴とする請求項３又は４記載の画像形成装置。
【請求項６】
前記変換部は、前記回転部材のバリ除去手段側の側面に形成された第１カム面と、前記バリ除去手段の回転部材側の側面に形成され、前記第１カム面と圧接する第２カム面と、を有することを特徴とする請求項５記載の画像形成装置。
【請求項７】
前記バリ除去手段を、幅方向に対向して設け、
対向して設けられた前記バリ除去手段を、前記駆動手段により同期して幅方向に移動させることを特徴とする請求項５又は６記載の画像形成装置。
【請求項８】
前記搬送手段を、前記バリ除去手段のシート搬送方向上流及び下流に設け、
前記制御手段は、シートが前記バリ除去手段のシート搬送方向下流に設けられた搬送手段に達した後、前記バリ除去手段がシートのシート搬送方向と平行な端部を上方より押圧するよう前記昇降手段を制御することを特徴とする請求項３乃至７の何れか１項に記載の画像形成装置。
【請求項９】
前記挟持部材は、搬送されるシートをガイドするガイド板であることを特徴とする請求項３乃至８の何れか１項に記載の画像形成装置。
【発明の詳細な説明】
【技術分野】
【０００１】
本発明は、画像形成装置に関し、特にシートのバリを除去するバリ除去手段を備えたものに関する。
【背景技術】
【０００２】
一般に、電子写真プロセスを採用した複写機、プリンタ、ファクシミリ、あるいはそれらの複合機等の画像形成装置は、シートにトナー像を転写する転写部と、転写部のシート搬送方向下流側に配置される加熱・加圧ローラ対を有する定着部とを備えている。そして、転写部にてトナー像が転写されたシートは、加熱・加圧ローラ対によって挟持される際、加熱・加圧されることにより画像が定着され、この後、機外に排出される。
【０００３】
この種の画像形成装置で用いられるシートは、通常、長尺で幅広の原紙を所定サイズに裁断して製造される。ここで、原紙を裁断して製造されたシートの端部の裁断面には、裁断方式、裁断機器、カッターの裁断履歴の差により、バリが生じることがある。このシート裁断面のバリは、シートサイズや製造ロットによって量、方向及び形状が異なり、常に一定ではなく、場合によっては一定上の大きさのバリが生じる場合がある。
【０００４】
そして、このように端部に一定上の大きさのバリが生じたシートを加熱・加圧ローラ対に多数枚連続して搬送した場合、バリによって加熱・加圧ローラ対に傷が付いてしまうことがある。加熱・加圧ローラ対に傷が付くと、シートの定着画像にスジ、傷或いはムラが生じてしまうことがある。
【０００５】
例えば、多数枚の小サイズのシートに連続して加熱・加圧ローラ対により、トナー像を定着した後に、大サイズのシートにトナー像を定着する場合がある。この場合、小サイズの定着時に付いた加熱・加圧ローラ対の傷の部分により、定着画像にスジ、傷或いはムラが生じてしまうことがある。このように、加熱・加圧ローラ対に傷が付いてしまうと、シートの画像品質が低下してしまうという問題がある。
【０００６】
そこで、このようなバリによる画像品質の低下を防ぐため、従来、画像形成装置において、バリ除去手段を用いてバリを除去するバリ除去装置を設けている。このようなバリ除去装置としては、バリ除去手段の一例であるブラシ状の回転体をシート端面に当接させてシートのバリを除去するようにしたものがある（特許文献１及び２参照）。
【先行技術文献】
【特許文献】
【０００７】
【特許文献１】特開２００８−２５４８８７号公報
【特許文献２】特開２００９−１９８６８２号公報
【発明の概要】
【発明が解決しようとする課題】
【０００８】
ここで、従来の画像形成装置において、バリ除去の際、バリ除去ローラがシート端部に当接する部分が限られていることから、バリ除去ローラがシートから除去したバリにより目詰まりを起こす。そして、このように目詰まりを起こすと、バリ除去ローラ（バリ除去手段）の寿命が短くなる。
【０００９】
そこで、本発明は、このような現状に鑑みてなされたものであり、バリ除去手段の寿命を長くすることのできる画像形成装置を提供することを目的とするものである。
【課題を解決するための手段】
【００１０】
本発明は、画像形成装置において、画像が形成されるシートを搬送する搬送手段と、前記搬送手段によって搬送されているシートのシート搬送方向と平行な端部と接して前記端部のバリを除去するバリ除去手段と、搬送されるシートの端部と当接する位置を変更するよう前記バリ除去手段を前記シート搬送方向と直交するシートの幅方向に移動させる移動手段と、を有することを特徴とするものである。
【発明の効果】
【００１１】
本発明のように、シートのシート搬送方向と平行な端部と接して端部のバリを除去するバリ除去手段をシートの幅方向に移動させ、搬送されるシートの端部と当接する位置を変更することにより、バリ除去手段の寿命を長くすることができる。
【図面の簡単な説明】
【００１２】
【図１】本発明の実施の形態に係る画像形成装置の一例であるカラー電子写真プリンタの概略構成を示す図。
【図２】上記カラー電子写真プリンタに設けられたバリ除去装置の構成を説明する斜視図。
【図３】上記バリ除去装置の側面図。
【図４】上記バリ除去装置のバリ除去ローラがバリ除去位置に移動したときの状態を示す側面図。
【図５】上記バリ除去ローラを軸方向に移動させる移動手段の構成を説明する図。
【図６】上記バリ除去ローラが軸方向に移動した状態を示す図。
【図７】上記バリ除去装置の制御ブロック図。
【図８】上記バリ除去装置のバリ除去動作制御のフローチャート。
【発明を実施するための形態】
【００１３】
以下、本発明の実施の形態について図面を用いて詳細に説明する。図１は、本発明の実施の形態に係る画像形成装置の一例であるカラー電子写真プリンタの概略構成を示す図である。
【００１４】
図１に示すように、カラー電子写真プリンタ（以下、プリンタという）１は、装置本体であるプリンタ本体１Ａ内に、電子写真方式により画像形成を行う画像形成部２、画像形成部２にトナー像が形成されるシートＰを給送するシート給送装置３を備えている。また、プリンタ本体１Ａ内に、シートＰにトナー像を転写する転写ユニット４、転写されたトナー像を定着させながらシートを搬送する定着部４０等を備えている。
【００１５】
ここで、画像形成部２は、イエロー（Ｙ）、マゼンタ（Ｍ）、シアン（Ｃ）及びブラック（Ｂｋ）の４つの画像形成ユニット１０により構成される。なお、これら各画像形成ユニット１０は、それぞれ感光体ドラム１１、帯電装置１２、露光装置１３、現像装置１４、クリーナ１５、一次転写装置１７等を備えている。
【００１６】
シート給送装置３は、給紙カセット２０と、給紙カセット２０に収納されたシートＰを送り出すシート給送ローラ２１とを備えている。なお、シートＰは、トナー像が形成されるものであり、具体例として、重量が６０〜１０５ｇ／ｍ２である普通紙、重量が１０６ｇ／ｍ２を超える厚紙、樹脂製シートなどがある。また、本実施の形態において、プリンタ本体１Ａは、シートを手差しにより給送するマルチ給紙トレイ２５を備えている。
【００１７】
転写ユニット４は、図中矢印の方向へと搬送駆動される中間転写ベルト３１を備えている。ここで、中間転写ベルト３１は、一次転写装置１７により与えられる所定の加圧力及び静電的負荷バイアスにより、感光体ドラム上に形成されたトナー像が転写されるものである。また、略対向する二次転写内ローラ３４及び二次転写外ローラ３５により形成される二次転写部Ｔにおいて所定の加圧力と静電的負荷バイアスを与えることでシートＰへ未定着画像を吸着させるものである。なお、このプリンタ本体１Ａの所定の位置には、画像形成部２の画像形成動作、シート給送装置３のシート給送動作、及び後述するバリ除去装置１０１のバリ除去動作を制御する制御手段である制御部１００が設けられている。
【００１８】
このような構成のプリンタ１において、画像を形成する際には、まず、予め帯電装置１２により感光体ドラム１１の表面が一様に帯電される。この後、画像データが露光装置１３に伝送されると、露光装置１３は、送られてきた画像情報の信号に基づいて発光し、この光を矢印方向に回転する感光体ドラム１１に対して照射することにより感光体ドラム表面に静電潜像が形成される。
【００１９】
次に、このようにして感光体ドラム１１上に形成された静電潜像に対して、現像装置１４によるトナー現像が行われ、感光体ドラム上にトナー像が形成される。この後、一次転写装置１７により所定の加圧力及び静電的負荷バイアスが与えられ、中間転写ベルト３１上にトナー像が転写される。転写後、感光体ドラム１１に残ったトナーは、クリーナ１５によって除去され、次の画像形成に備える。
【００２０】
ここで、画像形成部２のＹ、Ｍ、Ｃ及びＢｋの各画像形成ユニット１０による画像形成は、中間転写ベルト上に一次転写された上流のトナー像に重ね合わせるタイミングで行われる。この結果、最終的にはフルカラーのトナー像が中間転写ベルト３１上に形成される。また、シートＰは、給紙カセット２０からシート給送ローラ２１により、あるいはマルチ給紙トレイ２５から画像形成部２の画像形成タイミングに合わせて送り出され、この後、シートＰはレジストレーションローラ２３へと搬送される。
【００２１】
そして、レジストレーションローラ対（以下、レジストローラ対という）２３は、シートＰを一旦停止させてシートＰにループを作成することにより、シートＰの斜行を補正する。この後、所定のタイミングでレジストローラ対２３が回転することにより、斜行補正が行われたシートＰは、搬送ローラ対１０２により二次転写部Ｔへと搬送される。この後、二次転写部Ｔにおいて所定の加圧力と静電的負荷バイアスを与えることでシート上にフルカラーのトナー像が二次転写される。
【００２２】
次に、このようにトナー像が二次転写されたシートＰは圧力定着方式の定着部４０へと搬送され、この定着部４０において、加熱・加圧されることによりトナー像がシート上に定着される。ここで、シートＰの片面だけにトナー像を形成すると共に、プリンタ本体１Ａの側面に配置されている排紙トレイ６４に、フェイスアップ（トナー像が上側）で排出する場合は、切り換え部材６１の切り換えによりシートＰを排紙ローラ６３に搬送する。また、シートＰをプリンタ本体１Ａの上面に配置されている排紙トレイ６５にフェイスダウン（トナー像が下側）で排出する場合は、切り換え部材６１の切り換えによりシートＰを、反転搬送ローラ７３を介して排紙ローラ６６に搬送する。
【００２３】
また、シートＰの両面にトナー像を形成する場合には、定着部４０によってトナー像が定着されたシートＰを、切り換え部材６１によって一旦、上方へ案内し、後端が反転ポイントＲに達したとき、反転搬送ローラ７３を逆転する。これにより、シートＰは、スイッチバック搬送されて表裏反転される。この後、シートＰは、両面搬送路７０を通過し、片面画像形成と同様の過程を経て他方の面にトナー像を形成されて、排紙トレイ６４又は排紙トレイ６５上に排出される。
【００２４】
ところで、図１及び図２に示すように、レジストローラ対２３と搬送ローラ対１０２との間には、レジストローラ対２３によって斜行が補正されたシートの端部に当接してシート端部のバリを除去するバリ除去装置１０１が設けられている。そして、このバリ除去装置１０１により、レジストローラ対２３によって斜行が補正された後、シート端部のバリを除去することにより、バリが除去された状態でシートＰを二次転写部Ｔへと搬送することができる。
【００２５】
ここで、図２に示すように、シートを搬送する搬送手段である搬送ローラ対１０２とレジストローラ対２３は、プリンタ本体１Ａのフレームである前側板２０１と、前側板２０１と対向して設けられた不図示の後側板とによって回転自在に保持されている。なお、前側板２０１と不図示の後側板は、強度確保用のステイ２０２により接続されている。搬送ローラ対１０２とレジストローラ対２３は、鋼製軸を切削した後にＫＮメッキを施し、その外周にゴムを装着したローラと、鋼製軸を切削した後、ＫＮメッキを施し、その外周に樹脂を装着したローラとを所定の加圧力で当接させた構成のローラ対である。また、前側板２０１、不図示の後側板及びステイ２０２は亜鉛メッキ鋼板であり、板厚は１．２ｍｍである。
【００２６】
レジストローラ対２３と搬送ローラ対１０２の間にはシートを搬送するための下ガイド２０３と上ガイド２０４が３ｍｍの間隔を持って前側板２０１と後側板に取り付けられている。下ガイド２０３と上ガイド２０４は亜鉛メッキ鋼板であり、その板厚は１．０ｍｍである。そして、この上ガイド２０４の前側板２０１側の一部には切欠き部２０４ａが形成され、その切欠き部２０４ａに臨む位置にバリ除去手段であるバリ除去装置１０１が配置されている。
【００２７】
ここで、バリ除去装置１０１は、シートのシート搬送方向と平行な端部に所定の圧力で上方より接離可能に押圧してシートのバリを除去するバリ除去手段であるバリ除去ローラ２１１を備えている。そして、シートが下ガイド２０３と上ガイド２０４の間に形成されるシート搬送路Ｒ１を通過する際、切欠き部２０４ａからバリ除去ローラ２１１をシート搬送路内に進入させることにより、バリ除去ローラ２１１をシートの端部に上方から押圧することができる。
【００２８】
また、バリ除去装置１０１は、前側板２０１と後側板に軸支され、後述する図７に示すバリ除去ローラ移動モータＭ１により回転する駆動軸２０５に軸受２０６を介して上下方向に揺動自在に支持された保持手段である揺動板２０７を備えている。この揺動板２０７には、駆動軸２０５を支持する２つの支持部２０７ａ，２０７ｂが対向して立設されている。そして、この２つの支持部２０７ａ，２０７ｂの一方の揺動端には、ローラ軸２０９を介してバリ除去ローラ２１１が保持されている。なお、駆動軸２０５は、鋼製軸＋ＫＮメッキからなるものである。
【００２９】
ここで、本実施の形態において、バリ除去ローラ２１１はローラ軸２０９に、シート搬送方向と直交する方向である軸方向（幅方向）に移動可能に支持されている。また、ローラ軸２０９には回転部材である斜面カム２１０が固定されており、この斜面カム２１０は、カム部２１０ａと、ギア部２１０ｂとを備えている。駆動軸２０５の支持部２０７ａ，２０７ｂの間の部分には、ギア２０８が配置されている。そして、このギア２０８は、斜面カム２１０のギア部２１０ｂと噛合している。なお、ギア２０８の材質はＰＯＭ樹脂、ローラ軸２０９は鋼製、斜面カムの材質はＰＯＭ樹脂である。バリ除去ローラの材質はＰＯＭ樹脂をメインにローラ外周部にはアルミナ粉を付着させていて、その粗さは＃４００相当である。
【００３０】
ここで、バリ除去ローラ２１１と斜面カム２１０は接触するように配置されている。また、ローラ軸２０９には圧縮コイルバネ２１２が配置されており、この圧縮コイルバネ２１２により、バリ除去ローラ２１１を斜面カム側に付勢することにより、バリ除去ローラ２１１を斜面カム２１０に圧接させている。
【００３１】
ところで、揺動板２０７のバリ除去ローラ２１１が取り付けられている側と反対側の他方の揺動端部には、図３に示すように、一端がステイ２０２に取り付けられている引張コイルばね２１３の他端が取り付けられている。そして、この引張コイルばね２１３により、揺動板２０７はバリ除去ローラ２１１が下ガイド２０３に当接する方向に付勢されている。なお、この引張コイルバネ２１３によりバリ除去ローラ２１１が下ガイド２０３に当接する力は２Ｎとしている。
【００３２】
ここで、図３に示すように、揺動板２０７の他方の揺動端部と揺動板２０７の揺動中心となる駆動軸２０５の間には、揺動板２０７を押圧する偏心カム２１４が設けられている。この偏心カム２１４は、後述する図７に示すカムモータＭ２により回転するカム軸２１５に取り付けられている。なお、偏心カム２１４の材質はＰＯＭ樹脂であり、カム軸２１５は鋼製である。
【００３３】
そして、カム軸２１５が回転すると偏心カム２１４が回転し、この偏心カム２１４の回転により、揺動板２０７が揺動し、これに伴いバリ除去ローラ２１１が下ガイド２０３に接触する位置と、下ガイド２０３から離間する待機位置に移動する。このように、カムモータＭ２と、偏心カム２１４により、バリ除去ローラ２１１をシートの上方の待機位置及びシートを押圧する位置に移動させる昇降手段１０１ａが構成される。
【００３４】
なお、図示しないが、上ガイド２０４の後側板側の一部にも切欠き部が形成されており、この切欠き部に臨む位置にも、図２及び図３に示すバリ除去装置１０１と同じ構成のバリ除去装置が設けられている。そして、この図示しないバリ除去装置のギアと、図２に示すバリ除去装置１０１のギア２０８は駆動軸２０５に同軸上に設けられている。従って、駆動軸２０５が回転すると、２つのバリ除去装置の揺動板２０７は、同じタイミングで揺動し、これにより２つのバリ除去ローラ２１１も同じタイミングで下ガイド２０３に接触する位置と離間する位置に移動する。
【００３５】
次に、図３及び図４を用いてバリ除去装置１０１のバリ除去ローラ２１１を、シートに対して“離間―加圧―離間”させる動作について説明する。なお、図示しないバリ除去装置のバリ除去ローラ２１１も、このバリ除去ローラ２１１と同期して動作する。
【００３６】
図３は、バリ除去ローラ２１１が下ガイド２０３から離間した離間位置にあるときの状態、すなわちバリ除去装置１０１が、シートのバリを除去する前の待機状態を示している。このとき、偏心カム２１４が揺動板２０７を上方から押圧している。これにより、引張コイルばね２１３のばね力に抗して揺動板２０７が押し下げられて駆動軸２０５を中心に時計回りの方向に揺動し、バリ除去ローラ２１１は下ガイド２０３から離間する。なお、この偏心カム２１４の位置は、後述する図７に示すカムセンサＳにより、検知される。そして、このようにバリ除去装置１０１が、バリ除去ローラ２１１が離間位置にある待機状態にあるとき、シートはバリ除去ローラ２１１と当接することなくシート搬送路Ｒ１を通過することができる。
【００３７】
また、図３に示す状態で、カム軸２１５が矢印方向に回転すると、偏心カム２１４も同方向に回転し、これに伴い引張コイルバネ２１３により付勢された揺動板２０７は、図４に示すように、駆動軸２０５を中心として反時計回りに揺動する。そして、揺動板２０７は、バリ除去ローラ２１１が下ガイド２０３に突き当たる当接位置、すなわちバリ除去位置まで揺動する。
【００３８】
ここで、本実施の形態において、揺動板２０７を揺動させるのは、シートが搬送ローラ対１０２に到達した直後としている。これにより、バリ除去ローラ２１１は、レジストローラ対２３と搬送ローラ対１０２とにより搬送されている状態のシートの端部に当接する。そして、この状態のとき、シートは、端部が、バリ除去ローラ２１１と共にシートを挟持する挟持部材である下ガイド２０３とにより挟持された状態でバリ除去ローラ２１１を摺動しながら通過する。なお、バリ除去ローラ２１１は、シートと当接する表面の粗い当接面を有している。これにより、シートがバリ除去ローラ２１１を摺動しながら通過する際、シートのバリが除去される。
【００３９】
なお、このようにシートがバリ除去ローラ２１１を摺動しながら通過する際、シートはレジストローラ対２３と搬送ローラ対１０２とにより搬送されているので、シート搬送力が十分に確保されている。このため、シートの搬送不良を生じさせることなくシートのバリ除去を行うことができる。つまり、本実施の形態のように、シート搬送力が十分に確保されているレジストローラ対２３と搬送ローラ対１０２の間にバリ除去装置１０１を配置することにより、シートの搬送不良を生じさせることなくシートのバリ除去を行うことができる。
【００４０】
シートが通過し、シートに対するバリ除去作業が終了すると、カム軸２１５が回転し、これに伴い偏心カム２１４が回転する。これにより、引張コイルバネ２１３により揺動板２０７が駆動軸２０５を中心に時計周りに揺動し、バリ除去ローラ２１１は、バリ除去位置から図３に示す離間位置に戻る。
【００４１】
なお、本実施の形態では、バリ除去ローラ２１１が下ガイド２０３に接触したときの駆動軸２０５との位置関係は、シートが通過する際、シートの進行に対して、バリ除去ローラ２１１の加圧が必要以上に行われないように逃げ勝手となる位置関係としている。即ち、図４に示すように、バリ除去ローラ２１１が下ガイド２０３に接触する位置を、駆動軸２０５よりも搬送方向下流としている。このような位置関係とすることにより、バリ除去ローラ２１１がバリ除去位置に位置している場合も、必要以上にバリ除去ローラ２１１が下ガイド２０３に押し付けられることはないので、バリ除去ローラ２１１が下ガイド２０３を傷つけることはない。
【００４２】
ところで、バリ除去ローラ２１１が同一箇所のみでシートの端部に当接した場合、バリ除去ローラ２１１の切削面にシートから削り取った切削粉が蓄積することで、目詰まりを起こし、バリ除去効果が期待できなくなってしまう。そこで、本実施の形態において、バリ除去ローラ２１１のシートと当接する位置を変更するようバリ除去ローラ２１１を軸方向に往復移動可能としている。
【００４３】
次に、図５及び図６を用いてバリ除去ローラ２１１を軸方向に往復移動させる移動手段の構成について説明する。本実施の形態において、ローラ軸２０９の一端部は一部切削されており、図５に示すように、揺動板２０７の一方の支持部２０７ａには、その切削部２０９ａと係合する係止部を備えている。このように構成することにより、ローラ軸２０９は揺動板２０７に回転不能な状態で保持される。また、ローラ軸２０９は、Ｅ型止め輪５０１によって軸方向の移動が規制されることにより揺動板２０７から抜けなくなる。
【００４４】
そして、軸方向の移動が規制されたローラ軸２０９には既述したように斜面カム２１０が回転自在に保持されており、この斜面カム２１０のギア部２１０ｂは、既述した図２に示すように駆動軸２０５に設けられたギア２０８と噛合している。これにより、駆動軸２０５が回転すると、ギア２０８が回転し、これに伴い斜面カム２１０が回転する。
【００４５】
斜面カム２１０のカム部２１０ａのバリ除去ローラ側（バリ除去手段側）端にはローラ軸２０９に対して交差する方向に傾斜した第１カム面であるカム面２１０ｃが形成されている。また、バリ除去ローラ２１１の斜面カム側（回転部材側）端には斜面カム部２１１ａが設けられており、この斜面カム部２１１ａの斜面カム側端にはローラ軸２０９に対して交差する方向に傾斜した第２カム面であるカム面２１１ｂが形成されている。そして、バリ除去ローラ２１１は、付勢手段である圧縮コイルバネ２１２により常に矢印Ｂ方向に付勢されているので、バリ除去ローラ２１１の斜面カム部２１１ａのカム面２１１ｂと、斜面カム２１０のカム部２１０ａのカム面２１０ｃとが圧接する。
【００４６】
なお、ローラ軸２０９には並行ピン５０２が取り付けられている。また、バリ除去ローラ２１１の斜面カム部２１１ａと反対側の端部には、ローラ軸２０９の並行ピン５０２が入り込む溝２１１ｃがローラ軸２０９の軸方向に形成されている。そして、この並行ピン５０２と溝２１１ｃとにより、バリ除去ローラ２１１は、ローラ軸２０９回りの回転は規制されるが、軸方向の移動は可能となっている。
【００４７】
ここで、図５に示す状態から、図２に示すギア２０８が回転し、斜面カム２１０がローラ軸２０９を中心として回転すると、図６に示すように斜面カム２１０のカム面２１０ｃとバリ除去ローラのカム部２１１０の位相がずれる。なお、バリ除去ローラ２１１は圧縮コイルバネ２１２により常に矢印Ｂ方向に付勢されており、斜面カム２１０はＥ型止め輪５０１によって軸方向の移動が規制されている。
【００４８】
このため、斜面カム２１０が回転すると、バリ除去ローラ２１１が圧縮コイルバネ２１２に抗して同図左方向に移動する。即ち、斜面カム２１０が回転すると、カム面２１０ｃとカム面２１１ｂにより構成される変換部２２５により、斜面カム２１０の回転力がバリ除去ローラ２１１を移動させる力に変換され、バリ除去ローラ２１１が移動する。
【００４９】
なお、この後、斜面カム２１０がさらに回転を続けると位相が元に戻り、図５に示す状態に戻る。この動作を繰り返すことでバリ除去ローラ２１１は、図６において矢印Ｃで示すような往復移動（レシプロ移動）を行うことができる。なお、本実施の形態では、斜面カム２１０と、圧縮コイルバネ２１２と、ギア２０８及びバリ除去ローラ移動モータＭ１により構成される既述した図２に示す駆動手段２２３とにより、バリ除去ローラ２１１を軸方向に移動させる移動手段２２４が構成される。
【００５０】
なお、図７は、本実施の形態に係るプリンタ１の制御ブロック図である。図７に示すように制御部１００には、駆動軸２０５を駆動し、斜面カム２１０を回転させるバリ除去ローラ移動モータＭ１、カム軸２１５を回転させ、偏心カム２１４を回転させるカムモータＭ２が接続されている。また、制御部１００には、偏心カム２１４の位置を検知するカムセンサＳ及びバリ除去装置１０１によるバリ除去モードを設定する操作部１５０が接続されている。
【００５１】
そして、本実施の形態において、制御部１００は、操作部１５０によりバリ除去モードが設定されると、カムモータＭ２を駆動してバリ除去ローラ２１１によるバリ除去を行う。また、バリ除去ローラ移動モータＭ１を駆動してバリ除去ローラ２１１を軸方向に移動させる。
【００５２】
なお、シートに当接中にバリ除去ローラ２１１を移動させると、シートにダメージを与える可能があり、またバリ除去ローラ２１１の研磨材がガイドを摺擦することでガイドが傷つく可能性がある。このため、バリ除去ローラ２１１の軸方向への移動は、シートとバリ除去ローラ２１１が接触している最中（バリ除去中）には行わないようにする必要がある。そこで、本実施の形態において、バリ除去ローラ２１１の軸方向への移動は、プリンタ１のジョブが終了し、バリ除去ローラが下ガイド２０３から離間した状態で行う。
【００５３】
次に、図８を用いて制御部１００によるバリ除去動作制御について説明する。制御部１００は、まず操作部１５０によりバリ除去モードが選択された否かを判断する（Ｓ１）。そして、バリ除去モードが選択されたと判断すると場合（Ｓ１のＹ）、カムモータＭ２を駆動し、偏心カム２１４を回転させて揺動板２０７を、ばね２１３の付勢力により駆動軸２０５を回転中心として揺動させ、バリ除去ローラ２１１を下降させる（Ｓ２）。
【００５４】
そして、カムセンサＳにより偏心カム２１４が所定角回転し、バリ除去ローラ２１１が下ガイド２０３に当接したと判断すると、カムモータＭ２を停止させる。なお、このようにバリ除去ローラ２１１を下ガイド２０３に当接させる動作は、シートが搬送ローラ対１０２に達した後に完了させる。
【００５５】
次に、シートの通紙及バリ除去作業を行う（Ｓ３）。即ち、レジストローラ対２３及び搬送ローラ対１０２にて搬送されるシートの端部をバリ除去ローラ２１１に摺動させる。そして、このようなシートの通紙及バリ除去作業により、シートの端部にあるバリが除去される。
【００５６】
次に、このようなバリ除去をコピージョブが終了するまで行う（Ｓ４）。そして、コピージョブが終了すると（Ｓ４のＹ）、カムモータＭ２を回転させて偏心カム２１４を回転させ、揺動板２０７を駆動軸２０５中心に揺動させることによりバリ除去ローラ２１１を上昇させる（Ｓ５）。これにより、バリ除去ローラ２１１が下ガイド２０３から上昇して待機位置に戻る。
【００５７】
次に、バリ除去ローラ移動モータＭ１を駆動してギア２０８を回転させることにより、斜面カム２１０を回転させ、バリ除去ローラ２１１を軸方向に移動させる（Ｓ６）。これにより、次回のジョブの際、バリ除去ローラ２１１に対しシートの端部は先のジョブで摺動した部分とは違う部分が当接する。なお、バリ除去モードが選択されていない場合には（Ｓ１のＮ）、バリ除去装置１０１は待機位置のままとし（Ｓ７）、次のジョブを待つ。
【００５８】
以上説明したように、本実施の形態では、バリ除去ローラ２１１をシートに当接させてシートのバリを除去すると共に、バリ除去動作が終了すると、バリ除去ローラ２１１を軸方向（スラスト方向）に移動させるようにしている。これにより、バリ除去ローラ２１１の、搬送されるシートの端部と当接する位置を変更することができ、この結果、特に、同一サイズのシートを搬送する際、バリ除去ローラ２１１の同一部分のみがシートの端部に当接するのを防ぐことができる。そして、このようにバリ除去ローラ２１１の同一部分のみがシートの端部に当接するのを防ぐことにより、同一サイズのシートを搬送する場合でも、バリ除去装置（のバリ除去ローラ２１１）の寿命を長くすることができる。
【００５９】
さらに、本実施の形態においては、バリ除去ローラ２１１を待機位置に移動させた状態で軸方向に移動させるようにしている。つまり、本実施の形態では、バリ除去動作が終了すると、バリ除去ローラ２１１を移動させると共に、バリ除去ローラ２１１を移動させる際は、バリ除去ローラ２１１を下ガイド２０３から離間した状態で移動させるようにしている。
【００６０】
そして、このようにバリ除去ローラ２１１を移動させる際、下ガイド２０３から離間した状態で移動させることにより、バリ除去ローラ２１１が移動する際、下ガイド２０３がバリ除去ローラ２１１によって削られるのを防ぐことができる。これにより、削られた下ガイド２０３によってシートが傷付いたり、シートの搬送不良が発生したりすることなく、バリを除去することができる。
【００６１】
なお、既述したように、本実施の形態においては、シートが搬送ローラ対１０２に到達した後、バリ除去ローラ２１１をシートに押し付けるように構成している。このように構成した場合、シートのバリ除去ローラ２１１が押し付けられる部分よりもシート搬送方向下流側の部分のバリを除去することはできない。しかし、この場合でも、シートのバリの大部分である、シートのバリ除去ローラ２１１が押し付けられる部分よりもシート搬送方向上流側の部分のバリを除去することができるので、バリによる不具合を防ぐことができるという効果を十分、達成することができる。
【００６２】
ところで、これまでの説明では、バリ除去ローラ２１１と共にシートを挟持する挟持部材としてガイド板である下ガイド２０３を例示したが、本発明は、これに限らず挟持部材として搬送ローラ等の回転体を用いても良い。また、バリ除去ローラ２１１を移動させる移動手段としてカムを使用したものを例示したが、移動手段としてラックアンドピニオンやタイミングベルトを使用したものを用いても良い。
【００６３】
さらに、バリ除去手段としてローラ形状のバリ除去ローラ２１１を用いたが、シートの端部を押さえることができるならば、バリ除去手段の形状はこれに限らない。例えば、バリ除去手段として、シートと当接する表面の粗い当接面を有する半円柱状の部材を用いても良い。また、これまでの説明においては、バリ除去手段のシートと当接する位置を変更するようバリ除去手段を幅方向に移動させる構成を例示したが、本発明は、これに限らない。例えば、バリ除去手段を回転可能に設け、移動手段により、バリ除去手段を挟持部材から離間した状態で所定角度ずつ回転させるように構成しても良い。
【符号の説明】
【００６４】
１…カラー電子写真プリンタ（画像形成装置）、１Ａ…プリンタ本体（装置本体）、２…画像形成部、２３…レジストレーションローラ対、４０…定着部、１００…制御部（制御手段）、１０１…バリ除去装置、１０１ａ…昇降手段、１０２…搬送ローラ、１５０…操作部、２０３…下ガイド、２０７…揺動板（保持手段）、２０８…ギア、２０９…ローラ軸、２１０…斜面カム（回転部材）、２１０ｃ…カム面（第１カム面）、２１１…バリ除去ローラ（バリ除去手段）、２１１ｂ…カム面（第２カム面）、２１２…圧縮コイルバネ（付勢手段）、２１４…偏心カム、２２３…駆動手段、２２４…移動手段、２２５…変換部、Ｍ１…バリ除去ローラ移動モータ、Ｍ２…カムモータ、Ｐ…シート、Ｓ…カムセンサ、Ｔ…二次転写部
【図１】
2016150847.tif 000003
【図２】
2016150847.tif 000004
【図３】
2016150847.tif 000005
【図４】
2016150847.tif 000006
【図５】
2016150847.tif 000007
【図６】
2016150847.tif 000008
【図７】
2016150847.tif 000009
【図８】
2016150847.tif 000010